(57)【要約】【課題】遊技者が球に触れることなく、上球受皿や下球受皿から全ての球が抜き取れるようにする。【解決手段】球揚送扉４３が揚送球入口２６を閉鎖し、上球抜取操作体１９が操作され、球が上球受皿１１から下球受皿１２に抜き取られることによって揚送球入口２６に取り込まれることなく下球受皿１２に貯蔵され、その後、下球抜取操作体２５が操作されると、球が下球受皿１２から球箱３７に抜き取られ、または、揚送操作体４１が操作されると、扉モータ９９の駆動によって球揚送扉４３が揚送球入口２６を開放するとともに揚送モータ３２が駆動し、球が下球受皿１２から上球受皿１１に揚送されて上球受皿１１に貯蔵され、その後、揚送操作体４１が再操作されると、扉モータ９９の駆動によって球揚送扉４３が揚送球入口２６を閉鎖してから規定時間後に揚送モータ３２が停止し、球が揚送球導入路３４から揚送球搬送体３３の下部に残らないようになっている。【選択図】図１
2008132138.tif 000002
【特許請求の範囲】
【請求項１】
遊技に使用する球を貯蔵する上球受皿と、上球受皿から抜き取られる球を貯蔵する下球受皿と、上球受皿から下球受皿に球を抜き取る抜取球通路と、上球受皿から下球受皿に球を抜き取る開閉可能な上抜取球入口と、下球受皿から球揚送機構に球を取り込む開閉可能な揚送球入口とを備え、下球受皿の球と接触する底面が球を下抜取球出口に向けて流下させる斜面として構成され、揚送球入口が閉鎖すると球を下抜取球出口または下球受皿の球と接触する底面に向けて流下させる斜面として構成され、上抜取球入口が閉鎖すると球が上球受皿に貯蔵され、上抜取球入口が開放しかつ下抜取球出口および揚送球入口が閉鎖すると球が上球受皿から抜き取られて下球受皿に貯蔵され、揚送球入口が閉鎖しかつ下抜取球出口が開放すると球が上記底面を流下して下球受皿から下方外部に全て抜き取られ、下抜取球出口が閉鎖しかつ揚送球入口が開放すると球揚送機構が下球受皿から上球受皿に球を搬送するように駆動し、その球揚送機構の駆動中に揚送球入口が閉鎖するとその閉鎖から規定時間後に上記球揚送機構が停止するように、揚送球入口の開閉と球揚送機構の駆動とが制御され、揚送球入口の開閉が扉駆動機構によって行われる構成であることを特徴とする遊技機の皿揚球装置。
【請求項２】
請求項１記載の扉駆動機構の駆動源がモータで構成されたことを特徴とする遊技機の皿揚球装置。
【発明の詳細な説明】
【技術分野】
【０００１】
本発明は、遊技者が球に触れることなく、下球受皿や上球受皿から全ての球が抜き取れる遊技機の皿揚球装置に関する。
【背景技術】
【０００２】
球を遊技媒体として使用するパチンコ遊技機などの遊技機では、下球受皿から上球受皿に球を搬送する皿揚球装置が知られている。図９および図１０は、特許文献１で開示された皿揚球装置を備えたパチンコ遊技機を示す。
【０００３】
図１０において、パチンコ遊技機は、遊技機枠１の内部に図外の遊技盤を交換可能に取り付ける形態である。遊技機枠１は、固定枠２の前部に可動枠３を開閉可能に備え、可動枠３の前部に前扉４および皿構造体５を開閉可能に備える。固定枠２は、遊技機設置設備に固定される。遊技機設置設備は、パチンコ遊技機を設置する遊技店の島と呼ばれる設備である。可動枠３は、左側に位置するヒンジ６を中心とし、固定枠２の前で前方に開かれかつ後方に閉じられるように、片開き可能である。可動枠３には、図外の施錠装置、図外の遊技盤を交換可能に取り付けるための機構、図外の球発射機構、図外の球払出装置が設けられる。前扉４および皿構造体５は、個別に、左側に位置するヒンジ７を中心とし、可動枠３の前で前方に開かれかつ後方に閉じられるように、片開き可能である。
【０００４】
前扉４には、窓９、前面パネル１０が設けられる。窓９は、前後方向への貫通孔として構成される。前面パネル１０は、窓９を後から塞ぐ大きさのガラスまたは合成樹脂からなる光透過性の有る無色な板状に構成される。皿構造体５は、前扉４よりも下部に配置される。皿構造体５の前部には、上球受皿１１、下球受皿１２、球発射操作機構１３が設けられる。上球受皿１１は、遊技に使用する球を貯蔵する容器である。下球受皿１２は、上球受皿１１から抜き取られる球を貯蔵する容器である。
【０００５】
上球受皿１１には、球払出口１５、発射球供給口１６、上抜取球入口１７、上球抜取扉１８、上球抜取操作体１９、揚送球出口２０が設けられる。上球受皿１１における底部の球の接触する上面は、上球受皿１１に取り込まれた球を発射球供給口１６に向けて流下させる斜面を構成する。上球抜取扉１８と上球抜取操作体１９とは互いに図外の連結機構で連結されており、上球抜取操作体１９がばねのばね力に抗し遊技者に操作されるのに伴い連結機構を介して上球抜取扉１８が上抜取球入口１７を開放するように動作し、上記上球抜取操作体１９への遊技者からの操作が解除されるのに伴いばねのばね力で連結機構を介して上球抜取扉１８が上抜取球入口１７を閉鎖するように動作する。つまり、上球抜取扉１８は上球抜取操作体１９の操作に伴い機械式に開閉する構造になっている。
【０００６】
下球受皿１２には、下抜取球入口２２、下抜取球出口２３、下球抜取扉２４、下球抜取操作体２５、揚送球入口２６、揚送操作体２７が設けられる。下球受皿１２における底部の球の接触する底面２８は、下球受皿１２の内部に取り込まれた球を揚送球入口２６に向けて流下させる斜面を構成する。下球抜取扉２４と下球抜取操作体２５とは互いに図外の連結機構で連結されており、下球抜取操作体２５が遊技者で操作されるのに伴い連結機構を介して下球抜取扉２４が下抜取球出口２３を開放するように動作し、上記下球抜取操作体２５への遊技者からの操作が解除されるのに伴い連結機構を介して下球抜取扉２４が下抜取球出口２３を閉鎖するように動作する。つまり、下球抜取扉２４は下球抜取操作体２５の操作に伴い機械式に開閉する構造になっている。
【０００７】
図９に示すように、上球受皿１１および下球受皿１２には、抜取球通路２９および球揚送機構３０が設けられる。球揚送機構３０は、揚送筐体３１、揚送モータ３２、揚送球搬送体３３、揚送球導入路３４、揚送球導出路３５が設けられる。
【０００８】
図９において、皿揚球装置の動作について説明する。上抜取球入口１７が上球抜取扉１８で閉鎖され、球払出装置から賞球または貸球としての球が払い出された場合、当該球は、図１０の球払出口１５から上球受皿１１に払い出され、上球受皿１１の球と接触する底面を球発射球供給口１６に向けて流下し上球抜取扉１８に受け止められ上球受皿１１に貯蔵される。
【０００９】
図９に戻り、前記のように球が上球受皿１１に貯蔵された状態において、遊技者が上球抜取操作体１９を操作すると、上球抜取扉１８が実線で示す位置から仮想線で示す位置に移動しかつ停止して上抜取球入口１７を開放する。これによって、球が、矢印Ｘ１で示すように上球受皿１１から上抜取球入口１７と抜取球通路２９および下抜取球入口２２を経由して下球受皿１２に排出された後に下球受皿１２の底面２８を揚送球入口２６に向けて流下して下球受皿１２に貯蔵されるとともに、矢印Ｘ２で示すように揚送球入口２６を経由して揚送球導入路３４に貯蔵される。
【００１０】
そして、球が下球受皿１２および揚送球導入路３４に貯蔵され、球箱３７が下球受皿１２の真下に位置するように遊技機設置設備の棚３８の上に置かれた状態において、遊技者が下球抜取操作体２５を操作すると、下球抜取扉２４が実線で示す位置から仮想線で示す位置に移動しかつ停止して下抜取球出口２３を開放する。これによって、球が、矢印Ｘ３で示すように下抜取球出口２３から落下して球箱３７に取り込まれる。この場合、上記揚送球導入路３４に貯蔵された球は、揚送球導入路３４に残存されたままである。
【００１１】
また、下球抜取扉２４が仮想線で示す位置から実線で示す位置に移動しかつ停止して下抜取球出口２３を閉鎖し、球が下球受皿１２および揚送球導入路３４に貯蔵された状態において、遊技者が揚送操作体２７を操作すると、揚送モータ３２が揚送球搬送体３３を回転し、揚送球搬送体３３が揚送球導入路３４に残存する球および下球受皿１２に貯蔵された球を上方に搬送する。この上方に搬送された球は矢印Ｘ４で示すように揚送球搬送体３３の上部から揚送球導出路３５を経由して揚送球出口２０から上球受皿１１に排出される。
【００１２】
しかしながら、下球受皿１２の底面２８が球を揚送球入口２６に向けて流下させる斜面を構成し、球が揚送球導入路３４に残る構造になっている。このため、揚送球導入路３４に残存する球を抜き取る場合、遊技者が、揚送球入口２６を手などで塞ぎ、揚送操作体２７および上球抜取操作体１９を操作し、球を揚送操作体２７で上球受皿１１に揚送し、この球を上球受皿１１から上球抜取扉１８と抜取球通路２９および下抜取球入口２２を経由して下球受皿１２に排出させ、この球を下球受皿１２から下抜取球出口２３を経由して球箱３７に抜き取られる必要があり、遊技者が揚送球入口２６を手で塞ぐことから、遊技者が球に触れなければならないという欠点がある。
【特許文献１】特開２００１−３５３３２２号公報
【特許文献２】特開２００３−３４００８６号公報
【発明の開示】
【発明が解決しようとする課題】
【００１３】
発明が解決しようとする問題点は、揚送球導入路に残存する球を抜き取る場合、遊技者が球に触れなければならないという点である。
【課題を解決するための手段】
【００１４】
本発明に係る遊技機の皿揚球装置は、遊技に使用する球を貯蔵する上球受皿と、上球受皿から抜き取られる球を貯蔵する下球受皿と、上球受皿から下球受皿に球を抜き取る抜取球通路と、上球受皿から下球受皿に球を抜き取る開閉可能な上抜取球入口と、下球受皿から球揚送機構に球を取り込む開閉可能な揚送球入口とを備え、下球受皿の球と接触する底面が球を下抜取球出口に向けて流下させる斜面として構成され、揚送球入口が閉鎖すると球を下抜取球出口または下球受皿の球と接触する底面に向けて流下させる斜面として構成され、上抜取球入口が閉鎖すると球が上球受皿に貯蔵され、上抜取球入口が開放しかつ下抜取球出口および揚送球入口が閉鎖すると球が上球受皿から抜き取られて下球受皿に貯蔵され、揚送球入口が閉鎖しかつ下抜取球出口が開放すると球が上記底面を流下して下球受皿から下方外部に全て抜き取られ、下抜取球出口が閉鎖しかつ揚送球入口が開放すると球揚送機構が下球受皿から上球受皿に球を搬送するように駆動し、その球揚送機構の駆動中に揚送球入口が閉鎖するとその閉鎖から規定時間後に上記球揚送機構が停止するように、揚送球入口の開閉と球揚送機構の駆動とが制御され、揚送球入口の開閉が扉駆動機構によって行われる構成であることを最も主要な特徴とする。扉駆動機構の駆動源がモータで構成されてもよい。
【発明の効果】
【００１５】
本発明に係る遊技機の皿揚球装置は、下抜取球出口および揚送球入口が閉鎖して球が下球受皿に貯蔵された状態において、下抜取球出口が開放すると球が下球受皿の球と接触する底面を流下して下球受皿から下方外部に全て抜き取られ、また、下抜取球出口および揚送球入口が閉鎖して球が下球受皿に貯蔵された状態において、下抜取球出口が閉鎖しかつ揚送球入口が開放すると球揚送機構が下球受皿から上球受皿に球を搬送するように駆動し、その球揚送機構の駆動中に揚送球入口が閉鎖するとその閉鎖から規定時間後に上記球揚送機構が停止し、球が揚送球入口から球揚送機構に残らないので、遊技者が揚送球入口を手などで塞ぐことが不要であって、遊技者が球に触れることがなく、下球受皿や上球受皿から全ての球が抜き取れるという利点がある。下抜取球出口が閉鎖すると球を揚送球入口に流下させる斜面として構成されれば、遊技者が球に触れることがなく、球が下球受皿から揚送球入口に全て取り込まれるという利点があるうえ、揚送球入口の開閉が扉駆動機構によって行われるので、揚送球入口を開閉する構造が簡単になるという利点がある。扉駆動機構の駆動源がモータで構成されれば、球揚送扉がゆっくりと開閉して球を下球受皿の外側に跳ね飛ばさないという利点がある。
【発明を実施するための最良の形態】
【００１６】
図１乃至図７は、発明を実施するための最良の形態である。図１乃至図７において、従来と同一機能を有する部分には図９および図１０の符号と同一符号を付し、重複説明を省略する。図１のａ図は、下球抜取扉２４および球揚送扉４３の双方が閉鎖した下球受皿１２を示す。図１のｂ図は、下球抜取扉２４が閉鎖し球揚送扉４３が開放した下球受皿１２を示す。図２は、皿構造体５を分解して示す。図３は、下球受皿１２を分解して示す。図４のａ図は、球揚送扉４３の閉鎖とカム１０９との関係を示す。図４のｂ図は、球揚送扉４３の開放とカム１０９との関係を示す。図５は、皿構造体５に設けられた皿揚球装置の縦に切断した模式的な断面を示す。図６は、パチンコ遊技機の遊技機枠１を示す。図７は、皿揚球装置の制御の流れを示す。本明細書において、「前」、「後」、「左」、「右」、「上」、「下」の方向は、図６の状態に遊技機枠１を置いて矢印Ａで示す前方から見た場合に特定される方向である。
【００１７】
図６において、球払出口１５が上球受皿１１の右側に設けられたこと、発射球供給口１６と上抜取球入口１７および上球抜取扉１８が上球受皿１１の左側に設けられたこと、上球抜取操作体１９および揚送操作体４２が皿構造体５における上球受皿１１の前を覆い隠す前面に設けられたこと、下球受皿１２の底面２８が下球受皿１２の内部に取り込まれた球を下抜取球出口２３に向けて流下させる斜面を構成したこと、揚送球入口２６には球揚送扉４３が設けられたこと、下球抜取扉２４および球揚送扉４３の双方が閉じた場合に球揚送扉４３の上面が下球抜取扉２４の上面よりも上方に配置され、下球抜取扉２４が閉じた場合に下球抜取扉２４の上面が球を揚送球入口２６に向けて流下させる斜面を構成し、球揚送扉４３が閉じた場合に球揚送扉４３の上面が球を下抜取球出口２３または底面２８に向けて流下させる斜面を構成したこと、球揚送扉４３が開いた場合に球揚送扉４３の上面４４が球を揚送球入口２６から揚送球導入路３４に向けて流下させる斜面を構成したことが図１０と相違する。揚送操作体４２は、遊技者に操作された場合、図５の扉モータ９９と図５の揚送モータ３２とが動くように構成されたことで、図９の揚送操作体２７と機能が異なる。
【００１８】
つまり、上記球揚送扉４３が揚送球入口２６に設けられたことは、揚送球入口２６が開閉可能に構成されたことと、同義語である。下球抜取扉２４および球揚送扉４３の双方が閉じた場合に球揚送扉４３の上面が下球抜取扉２４の上面よりも上方に配置されたことは、揚送球入口２６および下抜取球出口２３の双方が閉鎖した場合に揚送球入口２６が下抜取球出口２３よりも上方に配置されたことと、同義語である。下球抜取扉２４が閉じた場合に下球抜取扉２４の上面が球を揚送球入口２６に向けて流下させる斜面を構成することは、下抜取球出口２３が閉鎖した場合に球を揚送球入口２６に向けて流下させる斜面を構成することと、同義語である。球揚送扉４３が閉じた場合に球揚送扉４３の上面が球を下抜取球出口２３または底面２８に向けて流下させる斜面を構成したことは、揚送球入口２６が閉鎖した場合に球を下抜取球出口２３または底面２８に向けて流下させる斜面を構成することと、同義語である。球揚送扉４３が開いた場合に球揚送扉４３の上面が球を揚送球導入路３４に向けて流下させる斜面を構成したことは、揚送球入口２６が開放した場合に球を揚送球入口２６から揚送球導入路３４の方に流下させる斜面を構成することと、同義語である。
【００１９】
図１を参照し、球揚送扉４３の開閉について説明する。図１のａ図は、扉駆動機構６８およびカム板６９が下球受皿１２の外側に位置して下球受皿１２の後部に取り付けられ、扉駆動機構６８の駆動源としてのモータを構成する扉モータ９９の出力軸１０２（図３参照）に設けられた駆動歯車１０３がカム板６９に設けられた従動歯車１０８に噛み合わされ、カム板６９に設けられたカム１０９には球揚送扉４３に設けられたカムフォロア７７が嵌め合わされ、揚送モータ３２（図５参照）が停止し、球揚送扉４３が揚送球入口２６を閉鎖し、下球抜取扉２４が下抜取球出口２３を閉鎖した状態である。このように、下球抜取扉２４および球揚送扉４３の双方が閉じた場合、球揚送扉４３の上面が下球抜取扉２４の上面よりも上方に配置され、下球抜取扉２４が閉じた場合に下球抜取扉２４の上面が球を揚送球入口２６に向けて流下させる斜面を構成し、球揚送扉４３が閉じた場合に球揚送扉４３の上面が球を下抜取球出口２３または底面２８に向けて流下させる斜面を構成する。
【００２０】
図１のａ図の状態において、扉モータ９９が駆動し、カム板６９が回転するのに伴い、球揚送扉４３が下降を開始する。そして、図１のｂ図に示すように、球揚送扉４３が下降限度位置に到達すると、扉モータ９９が停止するのに伴い、カム板６９が停止し、球揚送扉４３が下降限度位置に停止し、球揚送扉４３の上面が下球抜取扉２４の上面よりも下方になり、球揚送扉４３が揚送球入口２６を開放する。このように球揚送扉４３が開いた場合、球揚送扉４３の上面は球を揚送球入口２６から揚送球導入路３４の方に流下させる斜面を構成する。
【００２１】
図１のｂ図の状態において、扉モータ９９が再び駆動し、カム板６９が回転するのに伴い、球揚送扉４３が上昇を開始する。そして、図１のａ図に示すように、球揚送扉４３が上昇限度位置に到達すると、扉モータ９９が停止するのに伴い、カム板６９が停止し、球揚送扉４３が上昇限度位置に停止し、球揚送扉４３の上面が下球抜取扉２４の上面よりも上方になり、球揚送扉４３が揚送球入口２６を閉鎖する。
【００２２】
図１に示すように、球揚送扉４３が扉駆動機構６８で開閉するように構成されたので、球揚送扉４３と揚送操作体４２とを連結機構で連結した機械式に開閉する場合よりも、構造が簡単になるという利点がある。球揚送扉４３が扉モータ９９で開閉するように構成されたので、球揚送扉４３を電磁ソレノイドで開閉する場合よりも、球揚送扉４３がゆっくりと開閉して球を下球受皿１２の外側に跳ね飛ばさないという利点がある。
【００２３】
図２を参照し、皿構造体５の構造について説明する。皿構造体５は、上球受皿１１、下球受皿１２、後躯体５１、前化粧体５２を備える。後躯体５１は、皿構造体５の全体を構造的に支える土台を構成し、球払出口１５、発射球供給口１６、ヒンジ５３、中継球入口５４、前球中継路５５、中継連絡口５６、後球中継路５７、中継球出口５８、球発射操作取付部５９、配線孔６０を備える。前化粧体５２は、皿構造体５の美的形状を構成し、揚送操作体４２、下皿開口６１、操作逃避孔６２；６３；６４を備える。
【００２４】
図２において、皿構造体５の組立方について説明する。上球抜取操作体１９が前化粧体５２の後から操作逃避孔６２に挿入され、図外のタッピングスクリューのような止ねじが上球受皿１１の後から上球受皿１１の図外の取付部を経由して前化粧体５２に締結されることによって、上球受皿１１が前化粧体５２に取り付けられる。また、下球抜取操作体２５が前化粧体５２の後から操作逃避孔６３に挿入され、図外のタッピングスクリューのような止ねじが下球受皿１２の後から取付部８９；９６を経由して前化粧体５２に締結されることによって、下球受皿１２が前化粧体５２に取り付けられる。次に、後躯体５１が上球受皿１１および下球受皿１２を後から被覆し、図外のタッピングスクリューのような止ねじが後躯体５１の後から後躯体５１の図外の取付部を経由して前化粧体５２に締結されることによって、後躯体５１および前化粧体５２が互いに固定される。
【００２５】
このように皿構造体５が組み立てられた場合、上球抜取操作体１９に連動する上球抜取扉１８が発射球供給口１６の下縁部の前方に配置され、上球抜取扉１８よりも下流側における抜取球通路２９が中継球入口５４に接続され、下抜取球入口２２と中継球出口５８とが互いに接続される。したがって、上球抜取扉１８が開放された場合、球が上球受皿１１の抜取球通路２９から中継球入口５４、前球中継路５５、中継連絡口５６、後球中継路５７、中継球出口５８、下抜取球入口２２を経由して下球受皿１２に排出される。
【００２６】
皿構造体５が組み立てられた後、球発射操作機構１３（図６参照）の後部が前化粧体５２の前から操作逃避孔６４を経由して球発射操作取付部５９に重ね合わされ、図外のタッピングスクリューのような止ねじが後躯体５１の後から球発射操作取付部５９を経由して球発射操作機構１３に締結されることによって、球発射操作機構１３が後躯体５１に取り付けられる。これによって、皿構造体５が図６に示す形状に構成される。
【００２７】
図３を参照し、下球受皿１２の構造について説明する。下球受皿１２は、下球抜取扉２４、球揚送扉４３、下皿基盤６６、機構蓋６７、扉駆動機構６８、カム板６９、扉閉鎖ばね７０を備える。下球抜取扉２４の下面には、ばね繋止部７２が設けられる。下球抜取扉２４の前部が孔閉鎖体７３の後部に固定され、下球抜取扉２４の上面と孔閉鎖体７３の裏面とが互いに交差するような配置になる。孔閉鎖体７３の前部には、下球抜取操作体２５が固定されて孔閉鎖体７３から前方に突出する。
【００２８】
球揚送扉４３の一側部には、左右方向に延びるレバー７５が固定される。球揚送扉４３とレバー７５との連接部分には、垂幕逃避部７６が、連接部分の上面から下方に窪み、上方および前後に開口した溝として設けられる。レバー７５には、カムフォロア７７および扉軸７８が設けられる。カムフォロア７７は、垂幕逃避部７６の近くに位置し、レバー７５から後方に突出した突起として構成される。扉軸７８は、レバー７５の垂幕逃避部７６から遠い端部に位置し、レバー７５から前後方向に突出する丸棒として構成される。
【００２９】
下皿基盤６６には、下抜取球入口２２、球貯蔵室８０、貯蔵球出口８１、基盤揚送球導入路８２、カム軸８３、軸受部８４、垂幕８５、ばね取付部８６、ばね繋止部８７、フォロア逃避部８８、取付部８９；９０；９１が設けられる。下抜取球入口２２は、前後方向への貫通孔として、下皿基盤６６の後壁に形成される。球貯蔵室８０は、上方に開口しかつ上方から下方に窪み、上球受皿１１の球を収容する部屋を構成する。貯蔵球出口８１は、上下方向への貫通孔として、球貯蔵室８０の底部に形成される。基盤揚送球導入路８２は、下方および左右に開口しかつ下から上に窪み、貯蔵球出口８１に連なる溝として、下皿基盤６６の下部に形成される。
【００３０】
カム軸８３は、下皿基盤６６から後方に突出する円柱として、下皿基盤６６の後壁に形成される。軸受部８４は、下方および前後に開口しかつ下方から上方に窪む溝として、下皿基盤６６の下部に形成される。垂幕８５は、貯蔵球出口８１における軸受部８４の方の縁部から下方に突出する壁として構成される。ばね取付部８６とばね繋止部８７およびフォロア逃避部８８は、下皿基盤６６の下部に形成される。取付部８９は、下球受皿１２を図２の皿構造体５に図外の止ねじで取り付ける部分である。取付部９０は、下皿基盤６６と機構蓋６７とを相互に取り付ける部分である。取付部９１は、下皿基盤６６と扉駆動機構６８とを相互に取り付ける部分である。
【００３１】
機構蓋６７には、下抜取球出口２３、揚送球入口２６、フォロア逃避部９３、蓋揚送球導入路９４、取付部９５；９６が設けられる。下抜取球出口２３および揚送球入口２６は、上下方向への貫通孔として構成される。フォロア逃避部９３は、機構蓋６７の上部に形成される。蓋揚送球導入路９４は、下方および左右に開口しかつ上から下に窪み、揚送球入口２６に連なる溝として、機構蓋６７の上部に形成される。取付部９５は、下皿基盤６６と機構蓋６７と相互に取り付ける部分である。取付部９６は、機構蓋６７を図２の皿構造体５に図外の止ねじで取り付ける部分である。
【００３２】
扉駆動機構６８は、機構基盤９８、扉モータ９９、位置検出器１００、取付部１０１を備える。機構基盤９８は、扉駆動機構６８の全体を構造的に支える土台を構成する。扉モータ９９および位置検出器１００は、機構基盤９８の前部に取り付けられる。扉モータ９９の出力軸１０２には、駆動歯車１０３が固定される。取付部１０１は、下皿基盤６６と扉駆動機構６８とを互いに取り付ける部分として、機構基盤９８に設けられる。
【００３３】
カム板６９には、軸受部１０５、円形壁１０６、被検出部１０７、従動歯車１０８、カム１０９が設けられる。軸受部１０５は、前後方向に貫通した円形孔を構成する。円形壁１０６は、軸受部１０５を中心とする１つの円周上に位置し、カム板６９から後方に突出する。被検出部１０７は、円形壁１０６の直径を通る直線と交差する２つの位置に位置し、後方および径方向に開口しかつ後から前に窪む溝として構成される。従動歯車１０８は、カム板６９の軸受部１０５を中心とする１つの円周の全範囲にわたり形成された平歯車として、カム板６９の周縁部に構成される。カム１０９は、カム板６９の軸受部１０５と異なる位置における中心を中心とする１つの円周上に位置し、カム板６９の前面に溝カムとして構成される。
【００３４】
図３において、下球受皿１２の組立方について説明する。下球抜取扉２４および球揚送扉４３が下皿基盤６６の下から貯蔵球出口８１に挿入され、孔閉鎖体７３が下皿基盤６６よりも前方に配置され、カムフォロア７７がフォロア逃避部８８に挿入され、扉軸７８が軸受部８４に嵌め込まれ、扉閉鎖ばね７０のつるまき部がばね取付部８６に嵌め込まれ、扉閉鎖ばね７０のつるまき部から突出する一方の腕部がばね繋止部７２に係留され、扉閉鎖ばね７０のつるまき部から突出する他方の腕部がばね繋止部８７に係留され、止ねじ１１１がばね取付部８６に下方から締結されることによって、扉閉鎖ばね７０が止ねじ１１１でばね取付部８６に取り付けられる。その後、機構蓋６７が下球抜取扉２４や球揚送扉４３および扉閉鎖ばね７０などを被覆しつつ下皿基盤６６の下部に重ね合わされ、下球抜取扉２４が揚送球入口２６の上に対応し、球揚送扉４３が下抜取球出口２３の上に対応し、フォロア逃避部９３がフォロア逃避部８８に接続され、止ねじ１１２が取付部９５を経由して取付部９０に締結されることによって、機構蓋６７が下皿基盤６６に固定される。
【００３５】
このように機構蓋６７が下皿基盤６６に取り付けられた場合、下球抜取扉２４が下皿基盤６６と機構蓋６７との間に形成された案内路に収容され、扉閉鎖ばね７０がばね力を下球抜取扉２４に閉じる方向に付与し、当該ばね力によって下球抜取扉２４が貯蔵球出口８１および揚送球入口２６を閉鎖する。その状態において、下球抜取操作体２５が人為操作によって下球抜取扉２４を開くように扉閉鎖ばね７０のばね力に抗し例えば右から左に直線的に操作されるのに伴い、孔閉鎖体７３が下皿基盤６６および機構蓋６７の双方よりも前方で右から左に直線的に移動し、下球抜取扉２４が上記案内路の内部を右から左に直線的に移動して貯蔵球出口８１の前部および揚送球入口２６を開放する。下球抜取扉２４が開いた状態において、上記下球抜取操作体２５から人為操作を解除すると、扉閉鎖ばね７０のばね力によって、孔閉鎖体７３が左から右に直線的に移動し、下球抜取扉２４が上記案内路の内部を左から右に直線的に移動して貯蔵球出口８１の前部および揚送球入口２６を閉鎖する。
【００３６】
また、カム板６９のカム１０９がカムフォロア７７のフォロア逃避部８８から後方に突出した後部に収容され、軸受部１０５がカム軸８３に嵌め込まれた後、扉駆動機構６８の駆動歯車１０３が従動歯車１０８に噛み合わされ、円形壁１０６が位置検出器１００の前部に形成された前および上下に開口した凹部に位置検出器１００に接触しないように取り込まれ、止ねじ１１３が左の取付部１０１を経由して取付部９１に締結され、止ねじ１１４が右の取付部１０１を経由してカム軸８３に締結されることによって、扉駆動機構６８およびカム板６９が下皿基盤６６に取り付けられる。
【００３７】
このように扉駆動機構６８およびカム板６９が下皿基盤６６に取り付けられ、位置検出器１００が電力供給を受け、検出光が凹部の一側を形成する発光部から凹部の他側を形成する受光部に向けて照射された状態において、扉モータ９９の駆動によってカム板６９が回転し、円形壁１０６で遮られていた位置検出器１００の検出光がカム板６９の２分の１回転ごとに被検出部１０７を通過して受光部で受光される。これによって、位置検出器１００がカム板６９の回転位置をカム板６９の２分の１回転ごとに１回検出して回転位置信号を図７の制御装置５０に出力する。
【００３８】
図４を参照し、球揚送扉４３の開閉と扉駆動機構６８との関係について説明する。図４のａ図に示すように、カムフォロア７７がカム１０９の軸受部１０５に最も接近した場所に位置した場合、球揚送扉４３が揚送球入口２６および貯蔵球出口８１を閉鎖する。その状態において、扉モータ９９が駆動し、カム板６９がカム軸８３を中心とし一方向に回転し、カムフォロア７７がカム１０９の軸受部１０５から離れる場所に移動するに伴い、球揚送扉４３が扉軸７８を中心として下降する。
【００３９】
そして、図４のｂ図に示すように、カムフォロア７７がカム１０９の軸受部１０５から最も離れた場所に位置することによって、球揚送扉４３が揚送球入口２６および貯蔵球出口８１を開放する。このように球揚送扉４３が揚送球入口２６および貯蔵球出口８１を開放すると、球貯蔵室８０の球が矢印Ｘ５で示すように底面２８から貯蔵球出口８１および揚送球入口２６を経由して球揚送扉４３の上面に落下した後、球揚送扉４３の上面を流下して揚送球導入路３４に取り込まれる。
【００４０】
図５を参照し、皿揚球装置の動作について説明する。上球抜取扉１８が上抜取球入口１７を閉鎖した状態において、球が上球受皿１１に貯蔵される場合、当該球は上球受皿１１から球発射球供給口１６と上球抜取扉１８の上面を経由しつつ球発射球供給通路４６から発射球送出口４７に到達する。そして、遊技者が図６の球発射操作機構１３を操作すると、発射球送出機構４８における電磁ソレノイドのようなアクチュエータが発射球送出体を駆動し、発射球送出体が球を図外の球発射機構の発射動作に合わせて球発射機構に発射球として１個ずつ供給する。球発射機構は、球発射操作機構１３（図６参照）から出力された操作量に応じた発射力で例えば１分間に１から１００発未満までの規定数の間隔で駆動し、発射球送出機構４８から供給された図外の遊技盤の前面に向けて発射する。
【００４１】
前記のように球が上球受皿１１に貯蔵された状態において、遊技者が上球抜取操作体１９を操作すると、上球抜取扉１８が例えば図５の紙面の表面から裏面の方に横移動して上抜取球入口１７を開放する。これによって、上球受皿１１から発射球送出口４７に到達している球が、発射球送出口４７に残ることなく、矢印Ｘ１で示すように球発射球供給通路４６から抜取球通路２９および下抜取球入口２２を経由して下球受皿１２に排出される。
【００４２】
そして、下球抜取扉２４が実線で示す位置に停止して下抜取球出口２３を閉鎖し、球揚送扉４３が実線で示す位置に停止して揚送球入口２６を閉鎖した状態において、上記のように球が上球受皿１１から下球受皿１２に排出された場合、当該球は下球受皿１２の底面２８または球揚送扉４３の上面４４を下抜取球出口２３に向けて流下して下球受皿１２に貯蔵される。
【００４３】
前記のように球が下球受皿１２に貯蔵され、球箱３７が下球受皿１２の真下に位置するように遊技機設置設備の棚３８の上に置かれた状態において、遊技者が下球抜取操作体２５を操作すると、下球抜取扉２４が実線で示す位置から仮想線で示す位置に移動しかつ停止して下抜取球出口２３を開放し、球が矢印Ｘ３で示すように下球受皿１２の下抜取球出口２３から落下して球箱３７に取り込まれる。
【００４４】
下球抜取扉２４が仮想線で示す位置から実線で示す位置に移動しかつ停止して下抜取球出口２３を閉鎖し、球が下球受皿１２に貯蔵された状態において、遊技者が揚送操作体４２を操作すると、扉モータ９９および揚送モータ３２が駆動し、球揚送扉４３が実線で示す位置から仮想線で示す位置に移動しかつ停止して揚送球入口２６を開放し、球が矢印Ｘ２で示すように揚送球入口２６から揚送球導入路３４および揚送球搬送体３３の下部に到達し、揚送モータ３２が揚送球搬送体３３を回転し、揚送球搬送体３３が下球受皿１２の方から揚送球導入路３４に供給された球を上方に搬送する。この上方に搬送された球は矢印Ｘ４で示すように揚送球搬送体３３の上部から揚送球導出路３５を経由して揚送球出口２０から上球受皿１１に排出される。上記球揚送扉４３が揚送球入口２６を開放した場合、上記扉モータ９９の駆動は停止される。上記揚送モータ３２の駆動は、制御装置５０（図７参照）により自己保持される。
【００４５】
揚送モータ３２の駆動に伴い、球が下球受皿１２から上球受皿１１に揚送されている最中において、遊技者が揚送操作体４２を再操作すると、扉モータ９９が駆動し、球揚送扉４３が仮想線で示す位置から実線で示す位置に移動しかつ停止して揚送球入口２６を閉鎖し、球が揚送球導入路３４に進入することなく下球受皿１２に貯蔵される。球揚送扉４３が揚送球入口２６を閉鎖してから規定時間を経過したら、揚送モータ３２が停止する。これによって、上記球揚送扉４３が揚送球入口２６を閉鎖した時点において、揚送球導入路３４から揚送球搬送体３３の下部に残る球が、上記揚送モータ３２の規定時間での駆動によって、上球受皿１１に揚送される。つまり、球揚送機構３０の駆動中に球揚送扉４３が閉鎖された場合、球が揚送球入口２６から球揚送機構３０に残らない。
【００４６】
前記揚送操作体４２の再操作後に、遊技者が上球抜取操作体１９を操作すると、上球抜取扉１８が上抜取球入口１７を開放し、球が矢印Ｘ１で示すように上球受皿１１から下球受皿１２に排出される。この場合、すでに、球揚送扉４３が実線で示す位置に停止して揚送球入口２６を閉鎖しているので、下抜取球入口２２から下球受皿１２に排出された球は、下球受皿１２の底面２８または球揚送扉４３の上面４４を下抜取球出口２３に向けて流下して下球受皿１２に貯蔵される。
【００４７】
図７を参照し、皿揚球装置の制御の流れについて説明する。図７において、揚送操作体４２が操作されるごとに揚送操作検出器４９が揚送開始信号を制御装置５０に出力し、制御装置５０が揚送モータ３２および扉モータ９９を制御する。具体的には、制御装置５０に内蔵されたコンピュータが、電気の供給を受けたことによって起動すると、制御装置５０を示すブロックの中に図示したフローチャートにしたがった揚送モータ３２および扉モータ９９に対する処理を実行する。つまり、揚送操作体４２が操作され、揚送操作検出器４９が揚送開始信号を制御装置５０に出力すると、ステップ２０１における揚送操作の判定がＹＥＳとなり、ステップ２０２に進む。
【００４８】
ステップ２０２では、揚送操作中であることを示すフラグがコンピュータのＲＡＭに設定されているか否かを判定する。ステップ２０２の判定において、フラグがＲＡＭに設定されていなければ、揚送操作中ではなく、ステップ２０１で入力された揚送開始信号が再入力ではない揚送開始信号であり、ステップ２０２がＮＯであるので、ステップ２０３に進む。ステップ２０３では、揚送操作中であることを示すフラグをコンピュータのＲＡＭに設定し、ステップ２０４に進む。ステップ２０４では、制御装置５０が揚送モータ３２および扉モータ９９を駆動するとともに揚送モータ３２に対する駆動を自己保持する。このステップ２０４での扉モータ９９の駆動によって、球揚送扉４３が下降する。その後、ステップ２０５に進む。
【００４９】
ステップ２０５では、扉下降限度位置であるか否かを判定する。ステップ２０５の判定において、位置検出器１００から１つの被検出部１０７を検出した信号としての扉下降限度位置検出信号が制御装置５０に入力されていなければ、制御装置５０が扉下降限度位置ではないと判定し、ステップ２０５がＮＯとなり、ステップ２０５の処理を繰り返す。ステップ２０５の判定において、位置検出器１００から上記と同じ１つの被検出部１０７を検出した信号としての扉下降限度位置検出信号が制御装置５０に入力された場合、制御装置５０が扉下降限度位置であると判定し、ステップ２０５がＹＥＳとなり、ステップ２０６に進む、ステップ２０６では、扉モータ９９を停止し、コンピュータによる処理の１サイクルを終わる。
【００５０】
上記ステップ２０２の判定において、フラグがＲＡＭに設定されていれば、揚送操作中であり、ステップ２０１で入力された揚送開始信号が再入力された揚送開始信号であり、ステップ２０２がＹＥＳであるので、ステップ２０７に進む。ステップ２０７では、扉モータ９９を駆動する。このステップ２０７での扉モータ９９の駆動よって、球揚送扉４３が上昇し、ステップ２０８に進む。ステップ２０８では、扉上昇限度位置であるか否かを判定する。ステップ２０８の判定において、位置検出器１００から上記と異なるもう１つの被検出部１０７を検出した信号としての扉上昇限度位置検出信号が制御装置５０に入力されていなければ、制御装置５０が扉上昇限度位置ではないと判定し、ステップ２０８がＮＯとなり、ステップ２０８の処理を繰り返す。ステップ２０８の判定において、位置検出器１００から上記と同じもう１つの被検出部１０７を検出した信号としての扉上昇限度位置検出信号が制御装置５０に入力された場合、制御装置５０が扉上昇限度位置であると判定し、ステップ２０８がＹＥＳとなり、ステップ２０９に進む。
【００５１】
ステップ２０９では、扉モータ９９を停止し、ステップ２１０に進む。ステップ２１０では、揚送経過時間を計時し、ステップ２１１に進む。ステップ２１１では、ステップ２１０で計時した揚送経過時間が規定時間に到達したか否かを判定する。ステップ２１１の判定において、揚送経過時間が規定時間に到達していなければ、ステップ２１１がＮＯであり、ステップ２１０にジャンプする。ステップ２１１の判定において、揚送経過時間が規定時間に到達していれば、ステップ２１１がＹＥＳであり、ステップ２１２に進む。ステップ２１２では、制御装置５０が揚送モータ３２に対する駆動の自己保持を解除するとともに揚送モータ３２を停止しかつ扉モータ９９を駆動し、ステップ２１３に進む。ステップ２１３では、フラグをＲＡＭから消去し、コンピュータによる処理の１サイクルを終わる。
【００５２】
上記制御の処理によれば、揚送操作体４２が操作されると、制御装置５０が揚送モータ３２および扉モータ９９を駆動するともに揚送モータ３２に対する駆動を自己保持し、位置検出器１００からの扉下降限度位置検出信号が入力されると、制御装置５０が扉モータ９９を停止する。そして、制御装置５０が揚送モータ３２に対する駆動を自己保持した状態において、揚送操作体４２が操作されると、制御装置５０が揚送操作検出器４９からの揚送開始信号の再入力を検出して扉モータ９９を再び駆動し、位置検出器１００からの扉上昇限度位置検出信号が入力されると、制御装置５０が扉モータ９９を停止する。また、制御装置５０が上記揚送開始信号の再入力の検出から規定時間後に、制御装置５０が揚送モータ３２に対する駆動の自己保持を解除するとともに揚送モータ３２を停止する。規定時間は、制御装置５０の再入力を検出してから揚送球搬送体３３が揚送球導入路３４に残存する全ての球を揚送球導出路３５に揚送するまでに要する時間として、経験則から求められ、制御装置５０におけるコンピュータのＲＯＭに設定される。
【００５３】
最良の形態によれば、図５に示すように、下球受皿１２の底面２８が球を下抜取球出口２３に向けて流下させる斜面として構成され、揚送球入口２６が扉駆動機構６８によって開閉されるように開閉可能に構成され、揚送球入口２６が閉鎖すると下抜取球出口２３または底面２８に向けて流下させる斜面として構成され、そして、下抜取球出口２３および揚送球入口２６が閉鎖して球が下球受皿１２に貯蔵された状態において、下抜取球出口２３が開放すると球が底面２８を流下して下球受皿１２から下方外部に全て抜き取られ、また、抜取球出口２３および揚送球入口２６が閉鎖して球が下球受皿１２に貯蔵された状態において、下抜取球出口２３が閉鎖しかつ揚送球入口２６が開放すると球揚送機構３０が下球受皿１２から上球受皿１１に球を搬送するように駆動し、その球揚送機構３０の駆動中に揚送球入口２６が閉鎖するとその閉鎖から規定時間後に球揚送機構３０が停止し、球が揚送球入口２６から球揚送機構３０に残らないので、遊技者が揚送球入口を手などで塞ぐことが不要であって、遊技者が球に触れることがなく、下球受皿や上球受皿から全ての球が抜き取れるという利点がある。
【００５４】
具体的には、球揚送扉４３が揚送球入口２６を閉鎖し、下球抜取扉２４が下抜取球出口２３を閉鎖した状態において、遊技者が上球抜取操作体１９を操作した場合、球が上球受皿１１から下球受皿１２に抜き取られて貯蔵される。そして、球箱３７が下球受皿１２の真下に位置するように遊技機設置設備の棚３８の上に置かれ、遊技者が下球抜取操作体２５を操作すると、球が下球受皿１２から下球受皿１２の下方外部の球箱３７に全て抜き取られる。また、上記のように球が下球受皿１２に貯蔵された後、遊技者が下球抜取操作体２５を操作しないで揚送操作体４２を操作すると、揚送モータ３２および扉モータ９９が駆動し、扉モータ９９の駆動で球揚送扉４３が揚送球入口２６を開放し、揚送モータ３２の駆動で球が下球受皿１２から上球受皿１１に揚送されて上球受皿１１に貯蔵される。上記扉モータ９９の駆動は、球揚送扉４３が揚送球入口２６を開放した状態で停止する。上記揚送モータ３２の駆動は自己保持される。その後、遊技者が下揚送操作体４２を再操作すると、扉モータ９９が再び駆動し、揚送モータ３２の再駆動で球揚送扉４３が揚送球入口２６を閉鎖し、扉モータ９９が停止する。また、球揚送扉４３が閉鎖してから規定時間後に揚送モータ３２が停止し、球が揚送球入口２６から球揚送機構３０に残らない。このため、遊技者が揚送球入口２６を手などで塞ぐことが不要であり、遊技者が球に触れることがなく、下球受皿１２から上球受皿１１に球を揚送させたり、上球受皿１１から下球受皿１２に球を抜き取ったり、下球受皿１２から球箱３７に球を抜き取ったりすることができるという利点がある。つまり、遊技者が球に触れることがなく、下球受皿１２や上球受皿１１から全ての球が抜き取れるという利点がある。
【００５５】
最良の形態によれば、図５に示すように、下球抜取扉２４が閉じた場合に下球抜取扉２４の上面４５が球を揚送球入口２６に向けて流下させる斜面を構成するというように、下抜取球出口２３が閉鎖すると球を揚送球入口２６に流下させる斜面として構成されているので、下抜取球出口２３が閉鎖しかつ揚送球入口２６が開放すると、遊技者が球に触れることがなく、球が下球受皿１２から揚送球入口２６に全て取り込まれ、球揚送機構３０が球を下球受皿１２から上球受皿１１に全て搬送することができるという利点がある。
【００５６】
図５において、閉じた下球抜取扉２４と閉じた球揚送扉４３との間の距離Ｄは、１個の球の半径よりも小さな寸法に設定され、下球抜取扉２４が開放しかつ球揚送扉４３が閉鎖した場合、球が距離Ｄの部分に滞留しないようになっている。
【産業上の利用可能性】
【００５７】
カム板６９に置換するリンク機構を使用し、扉モータ９９の駆動によって球揚送扉４３を開閉してもよい。球揚送扉４３が、例えば図５の紙面の表面から裏面の方に横移動して揚送球入口２６を開放するというように、揚送球入口２６に対し左右方向または前後方向に横移動して揚送球入口２６を開放するようにしてもよい。
【００５８】
図６において、前扉４および皿構造体５は一体であってもよい。また、球揚送機構３０は、図５の皿構造体５の後部ではなく、図２の後躯体５１と前化粧体５２との間に配置されるように皿構造体５の前部にも設けられてもよい。
【００５９】
図６において、遊技機はパチンコ遊技機に限定されるものではなくスロットマシンでもよい。つまり、遊技盤を図柄表示器に置換し、球発射操作機構１３を球取込操作機構に置換し、球発射機構を球取込機構に置換し、遊技開始操作機構および図柄停止操作機構を皿構造体５の前部または前扉４の前部に設ければ、皿揚球装置はスロットマシンにも適用できる。
【００６０】
図８に示すように、球揚送扉４３を構成してもよい。図８のａ図では、球揚送扉４３が実線で示す閉鎖位置と仮想線で示す開放位置とに軸１１６を中心として回転するようになっている。この場合、球揚送扉４３は、片開きに限定されるものではなく、両開きであってもよい。図８のｂ図では、球揚送扉４３が実線で示す閉鎖位置と仮想線で示す開放位置との軸１１７を中心として回転する。
【図面の簡単な説明】
【００６１】
【図１】下球受皿の斜視図（最良の形態）。
【図２】皿構造体の分解斜視図（最良の形態）。
【図３】下球受皿の分解斜視図（最良の形態）。
【図４】球揚送扉の開閉とカムとの関係の模式図（最良の形態）。
【図５】皿揚球装置の縦断面図に相当する模式図（最良の形態）。
【図６】遊技機枠の斜視図（最良の形態）。
【図７】皿揚球装置のフローチャート（最良の形態）。
【図８】球揚送扉を示す模式図（異なる形態）。
【図９】皿揚球装置の縦断面図に相当する模式図（従来）。
【図１０】遊技機枠の斜視図（従来）。
【符号の説明】
【００６２】
１は遊技機枠、２は固定枠、３は可動枠、４は前扉、５は皿構造体、６はヒンジ、７はヒンジ、８は欠番、９は窓、１０は前面パネル、１１は上球受皿、１２は下球受皿、１３は球発射操作機構、１４は欠番、１５は球払出口、１６は発射球供給口、１７は上抜取球入口、１８は上球抜取扉、１９は上球抜取操作体、２０は揚送球出口、２１は欠番、２２は下抜取球入口、２３は下抜取球出口、２４は下球抜取扉、２５は下球抜取操作体、２６は揚送球入口、２７は揚送操作体、２８は下球受皿１２の底面、２９は抜取球通路、３０は球揚送機構、３１は揚送筐体、３２は揚送モータ、３３は揚送球搬送体、３４は揚送球導入路、３５は揚送球導出路、３６は欠番、３７は球箱、３８は棚、３９乃至４１は欠番、４２は揚送操作体、４３は球揚送扉、４４は球揚送扉４３の上面、４５は下球抜取扉２４の上面、４６は球発射球供給通路、４７は発射球送出口、４８は発射球送出機構、４９は揚送操作検出器、５０は制御装置、５１は後躯体、５２は前化粧体、５３はヒンジ、５４は中継球入口、５５は前球中継路、５６は中継連絡口、５７は後球中継路、５８は中継球出口、５９は球発射操作取付部、６０は配線孔、６１は下皿開口、６２は操作逃避孔、６３は操作逃避孔、６４は操作逃避孔、６５は欠番、６６は下皿基盤、６７は機構蓋、６８は扉駆動機構、６９はカム板、７０は扉閉鎖ばね、７１は欠番、７２はばね繋止部、７３は孔閉鎖体、７４は欠番、７５はレバー、７６は垂幕逃避部、７７はカムフォロア、７８は扉軸、７９は欠番、８０は球貯蔵室、８１は貯蔵球出口、８２は基盤揚送球導入路、８３はカム軸、８４は軸受部、８５は垂幕、８６はばね取付部、８７はばね繋止部、８８はフォロア逃避部、８９は取付部、９０は取付部、９１は取付部、９２は欠番、９３はフォロア逃避部、９４は蓋揚送球導入路、９５は取付部、９６は取付部、９７は欠番、９８は機構基盤、９９は扉モータ、１００は位置検出器、１０１は取付部、１０２は出力軸、１０３は駆動歯車、１０４は欠番、１０５は軸受部、１０６は円形壁、１０７は被検出部、１０８は従動歯車、１０９はカム、１１０は欠番、１１１乃至１１４は止ねじ、１１５は欠番、１１６；１１７は軸。
【図１】
2008132138.tif 000003
【図２】
2008132138.tif 000004
【図３】
2008132138.tif 000005
【図４】
2008132138.tif 000006
【図５】
2008132138.tif 000007
【図６】
2008132138.tif 000008
【図７】
2008132138.tif 000009
【図８】
2008132138.tif 000010
【図９】
2008132138.tif 000011
【図１０】
2008132138.tif 000012